(57)【特許請求の範囲】
【請求項１】
移動体通信機能を実行する移動体通信手段と、
前記移動体通信手段が機能するための電気を供給する電池と、
前記電池が充電可能なように充電器と接続して、当該充電器から前記電池の充電を行う充電手段と、
前記充電手段による前記充電器との前記接続、又は前記充電手段による前記充電を検出して、自端末を電源オフする電源オフ手段と、
前記電源オフ手段により電源オフがされた後、前記充電手段による前記充電器との接続が切断されたことを検出して、自端末を電源オンする、又は前記電源オフ手段により電源オフがされた後、設定された時間後に自端末を電源オンする電源オン手段と、を備え、
前記電源オン手段は、前記充電手段により接続された前記充電器から当該充電器の種類を示す第２の種類情報を取得して、当該第２の種類情報に応じて自端末を電源オンする移動通信端末。
【請求項２】
前記電源オフ手段は、前記充電手段により接続された前記充電器から当該充電器の種類を示す第１の種類情報を取得して、当該第１の種類情報に応じて自端末を電源オフする請求項１に記載の移動通信端末。
【請求項３】
前記充電手段は、前記充電器と非接触方式によって接続して前記電池の充電を行う請求項１又は２に記載の移動通信端末。
【請求項４】
請求項１〜３の何れか一項に記載の移動通信端末と、前記充電器とを含んで構成され、
前記充電器は、前記充電器自身に係る前記第２の種類情報を記憶しており、接続された移動通信端末に前記第２の種類情報を送信する第２の種類情報送信手段を備える充電システム。
【請求項５】
請求項２に記載の移動通信端末と、前記充電器とを含んで構成される充電システムであって、
前記充電器は、
前記充電器自身に係る前記第２の種類情報を記憶しており、接続された移動通信端末に前記第２の種類情報を送信する第２の種類情報送信手段と、
前記充電器自身に係る前記第１の種類情報を記憶しており、接続された移動通信端末に当該第１の種類情報を送信する第１の種類情報送信手段と、を備える、充電システム。
【発明の詳細な説明】
【技術分野】
【０００１】
本発明は、充電可能な電池を備える移動通信端末、及び当該移動通信端末を含む充電システムに関する。
【背景技術】
【０００２】
従来から、携帯電話機等の小型のポータブルデバイスである携帯端末に対して、非接触インターフェースが用いられて充電を行うことができることが知られている（例えば、特許文献１参照）。現在、非接触充電の国際的な標準仕様が策定されている。その中では電磁誘導方式での非接触充電時の、充電器（充電するための置き台）と携帯端末との間での充電開始前の認証や充電時の電力制御方法、及び充電器や携帯端末のデザインが規定されており、本仕様に基づき商品化されている。
【先行技術文献】
【特許文献】
【０００３】
【特許文献１】特開２０１１−３０２９９号公報
【発明の概要】
【発明が解決しようとする課題】
【０００４】
ところで、携帯電話機のように通信を行う移動通信端末は、ユーザが使用していないときであっても電源がオンされている場合、放置しているだけで電池が消費される。特に圏外状態では、移動通信端末はセルサーチし続けるため、通常の待受時よりも電池を数十倍消費し、短時間の放置でも電池内の電気が無くなる。充電器に移動通信端末が接続されている場合、電源オン時の電池の消費が大きいと、電池の消費と充電が自動で繰り返されるため、長時間放置していると電池自体の劣化を引き起こす。
【０００５】
本発明は、上記の問題点を解決するためになされたものであり、移動通信端末が備える電池の充電中の劣化を防ぐことができる移動通信端末及び充電システムを提供することを目的とする。
【課題を解決するための手段】
【０００６】
上記の目的を達成するために、本発明に係る移動通信端末は、移動体通信機能を実行する移動体通信手段と、移動体通信手段が機能するための電気を供給する電池と、電池が充電可能なように充電器と接続して、当該充電器から電池の充電を行う充電手段と、充電手段による充電器との接続、又は充電手段による充電を検出して、自端末を電源オフする電源オフ手段と、を備えることを特徴とする。
【０００７】
また、本発明に係る充電システムは、上記の移動通信端末と、充電器とを含んで構成されることを特徴とする。
【０００８】
本発明では、移動通信端末が充電器から充電しえる状態、あるいは実際に充電が行なわれる状態となった場合に、移動通信端末の電源を自動的にオフにすることができる。従って、移動通信端末が圏外状態であった場合であってもセルサーチ等で電池が消費されることがない。これにより、本発明によれば、移動通信端末が充電器に接続されていても電池の消費と充電の繰り返しが起きず電池の劣化を防ぐことができる。
【０００９】
電源オフ手段は、充電手段により接続された充電器から当該充電器の種類を示す第１の種類情報を取得して、当該第１の種類情報に応じて自端末を電源オフすることが望ましい。
【００１０】
また、充電システムは、上記の移動通信端末と、充電器とを含んで構成される充電システムであって、充電器は、接続された移動通信端末に第１の種類情報を送信する第１の種類情報送信手段を備える、ことを特徴とする。
【００１１】
これらの構成によれば、移動通信端末が圏外となる場所、あるいは映画館やコンサート会場等の移動通信端末を電源オフとすべき場所等に設けられる充電器に移動通信端末が接続されたときのみに移動通信端末の電源を自動的にオフにすることができる。これにより、ユーザの利便性を向上させることができる。
【００１２】
移動通信端末は、電源オフ手段により電源オフがされた後、充電手段による充電器との接続が切断されたことを検出して、自端末を電源オンする電源オン手段を更に備える。この構成によれば、電池の消費と充電の繰り返しによる電池の劣化のおそれが無くなった際に移動通信端末の電源を自動的にオンできる。これにより、ユーザが手動で電源を入れなくても済み、ユーザの利便性を向上させることができる。
【００１３】
又は、移動通信端末は、電源オフ手段により電源オフがされた後、設定された時間後に自端末を電源オンする電源オン手段を更に備える。この構成によれば、ユーザが設定した適切なタイミングで移動通信端末の電源を自動的にオンできる。これにより、ユーザが手動で電源を入れなくても済み、ユーザの利便性を向上させることができる。
【００１４】
電源オン手段は、充電手段により接続された充電器から当該充電器の種類を示す第２の種類情報を取得して、当該第２の種類情報に応じて自端末を電源オンする。
【００１５】
また、充電システムは、上記の移動通信端末と、充電器とを含んで構成される充電システムであって、充電器は、接続された移動通信端末に第２の種類情報を送信する第２の種類情報送信手段を備える、ことを特徴とする。
【００１６】
この構成によれば、充電後にユーザが移動通信端末を利用しないことが多い充電器を用いて充電した場合等に電池の消費を防止することができる。
【００１７】
充電手段は、充電器と非接触方式によって接続して電池の充電を行うことが望ましい。この構成によれば、非接触充電の場合であっても本発明を実施することができる。
【発明の効果】
【００１８】
本発明では、移動通信端末が充電器から充電しえる状態となった場合、あるいは実際に充電が行なわれる状態に、移動通信端末の電源を自動的にオンにすることができ、移動通信端末が圏外状態であった場合であってもセルサーチ等で電池が消費されることがない。これにより、本発明によれば、移動通信端末が充電器に接続されていても電池の消費と充電の繰り返しが起きず電池の劣化を防ぐことができる。
【図面の簡単な説明】
【００１９】
【図１】本発明の実施形態に係る移動通信端末の機能構成、及び当該移動通信端末を含む充電システムの構成を示す図である。
【図２】本発明の実施形態に係る移動通信端末のハードウェア構成を示す図である。
【図３】本発明の実施形態に係る充電器のハードウェア構成を示す図である。
【図４】本発明の実施形態に係る充電システムで充電時に実行される処理を示すフローチャートである。
【図５】本発明の実施形態に係る充電システムで充電時に実行される別の処理を示すフローチャートである。
【図６】本発明の実施形態に係る移動通信端末の電源オンに係る処理を示すフローチャートである。
【図７】本発明の実施形態に係る移動通信端末の電源オンに係る別の処理を示すフローチャートである。
【図８】本発明の実施形態に係る移動通信端末の電源オンに係る更に別の処理を示すフローチャートである。
【発明を実施するための形態】
【００２０】
以下、図面と共に本発明に係る移動通信端末及び充電システムの好適な実施形態について詳細に説明する。なお、図面の説明においては同一要素には同一符号を付し、重複する説明を省略する。
【００２１】
図１に本実施形態に係る移動通信端末１０、及び当該移動通信端末１０と充電器２０とを含んで構成される充電システム１を示す。移動通信端末１０は、ユーザによって携帯（所持）され移動体通信機能を備えている装置である。移動通信端末１０は、充電可能な電池（バッテリ）を備えており、当該電池の電力によって動作する。移動通信端末１０の電池は、充電器２０によって充電される。本発明は、移動通信端末１０の充電に係るものである。本実施形態では、移動通信端末１０の電池の充電は、より詳細には後述するように非接触方式（電磁誘導方式）によって行われる。
【００２２】
図２に移動通信端末１０のハードウェア構成を示す。図２に示すように、移動通信端末１０は、ＣＰＵ（Central Processing Unit）１０１、主記憶装置であるＲＡＭ（RandomAccess Memory）１０２及びＲＯＭ１０３（Read Only Memory)、操作部１０４、無線通信部１０５、ディスプレイ１０６、アンテナ１０７等のハードウェアにより構成されている。また、移動通信端末１０は、上記のハードウェアに加えて、電池１０８及びコイル１０９等のハードウェアを備えている。電池１０８は、移動通信端末１０を機能するための電力を供給するための充電可能な電池であり、具体的には例えば、リチウムイオン二次電池等の種類のものである。コイル１０９は、充電器２０からの電力を電磁誘導方式により受け取るため等のものである。なお、上記のハードウェア自体は、従来の移動通信端末と同様のものを用いることができる。これらの構成要素が動作することにより、後述する移動通信端末１０の各機能が発揮される。
【００２３】
図３に充電器２０のハードウェア構成を示す。図３に示すように、充電器２０は、ＣＰＵ２０１、主記憶装置であるＲＡＭ２０２及びＲＯＭ１０３、操作部２０４、電源部２０５、コイル２０６等のハードウェアにより構成されている。電源部２０５は、移動通信端末１０に供給するための電力、及び充電器２０を機能させるための電源となるものであり、例えば、電源コンセントに差し込むプラグあるいは乾電池等によって構成させる。コイル２０６は、電磁誘導方式により電力を移動通信端末１０に送信するため等のものである。また、充電器２０は、従来の充電器と同様に移動通信端末１０が充電可能なよう（互いのコイル１０９，２０６が充電可能な位置関係となるように）に位置決めされて置かれることが可能な置き台を備えている。なお、上記のハードウェア自体は、従来の充電器と同様のものを用いることができる。これらの構成要素が動作することにより、後述する充電器２０の各機能が発揮される。
【００２４】
引き続いて、移動通信端末１０及び充電器２０の本発明に係る機能について説明する。図１に示すように、移動通信端末１０は、移動体通信部１１と、電池１０８と、充電部１２と、電源オフ部１３と、電源オン部１４とを備えて構成される。
【００２５】
移動体通信部１１は、移動体通信機能を実行する移動体通信手段である。具体的には、移動体通信部１１は、ユーザの操作に応じて基地局等と無線通信を行い、音声データやパケットデータの送受信を行う。移動体通信部１１は、電池１０８から供給される電力が供給によって動作する。
【００２６】
また、移動通信端末１０は電源のオンオフがなされ、移動体通信部１１には、電源オンの場合のみに電力が供給される。電源オフの場合には、移動体通信部１１への電力の供給を禁止される。電源のオンオフは、ユーザによる移動通信端末１０が備える電源ボタンの押下等の操作によって行われる他、後述するように本発明の機能に係る電源オフ部１３及び電源オン部１４によっても行われる。
【００２７】
電池１０８は、移動体通信部１１が機能するための電気を供給する電池である。電池１０８は、移動体通信部１１が動作することによって消費される。また、上述したように、電池１０８は、移動通信端末１０が充電器２０に接続されて充電器２０から充電される。
【００２８】
充電部１２は、電池１０８が充電可能なように充電器２０と接続して、当該充電器２０から電池の充電を行う充電手段である。充電部１２は、充電用のコイル１０９を含んで構成され、充電器２０と非接触方式によって接続して電池１０８の充電を行う。具体的には、充電部１２は、コイル１０９により、充電器２０側からの磁界変化から充電用の電流を取り出す。上記の充電器２０との接続とは、充電器２０との間で充電用の電力の送受信が可能となることをいう。
【００２９】
また、充電部１２は、電池１０８に電力を入力する電力制御や、充電器２０との間で、充電器２０側での認証や電力制御に使用する情報等の送受信を行う。これらの情報は、必要に応じて変調される。また、充電部１２は、充電器２０のコイル２０６を検出して充電器２０との接続を検出することが可能である。コイルの検出は、具体的には、移動通信端末１０が備える共振回路が用いられて、規定の周波数の共振によって行われる。これらの機能は、従来の移動通信端末が有する充電に係る機能と同様の機能である。
【００３０】
また、充電部１２は、必要に応じて電源オフ部１３及び電源オン部１４に情報を出力する。
【００３１】
電源オフ部１３は、充電部１２による充電器２０との接続、又は充電部１２による充電を検出して、自端末１０を電源オフする電源オフ手段である。具体的には、電源オフ部１３は、充電部１２を監視しておき、充電部１２が電池１０８への充電を開始したら電源オフする。あるいは、充電部１２が充電器２０と接続して、電池１０８への充電をしえる状態となった場合に電源オフすることとしてもよい。電源オフが行われると、ユーザによる操作によって電源オフとなる場合と同様に移動体通信部１１への電力の供給を禁止される。
【００３２】
また、電源オフ部１３は、充電部１２により接続された充電器２０から当該充電器２０の種類を示す第１の種類情報を取得して、当該第１の種類情報に応じて自端末１０を電源オフする構成としてもよい。即ち、電源オフ部１３は、充電器２０に応じて選択的に自端末１０を電源オフすることとしてもよい。ここで、第１の種類情報は、例えば、充電時に移動通信端末１０を電源オフする充電器２０であることを示す情報と、充電時に移動通信端末１０を電源オフしない充電器２０であることを示す情報との２種類の情報である。これらの情報の何れかが第１の種類情報として、充電器２０に設定されており、充電開始時等の所定のタイミングで充電器２０から移動通信端末１０に送信される。移動通信端末１０では、電源オフ部１３が、充電部１２を介して第１の種類情報を受信する。
【００３３】
電源オフ部１３は、受信した第１の受信情報が充電時に移動通信端末１０を電源オフする充電器２０であることを示す情報であった場合、自端末１０を電源オフする処理を行う。電源オフ部１３は、受信した第１の受信情報が充電時に移動通信端末１０を電源オフしない充電器２０であることを示す情報であった場合、自端末１０を電源オフする処理を行わない（特段の処理を行わない）。
【００３４】
第１の種類情報が、充電時に移動通信端末１０を電源オフする充電器２０であることを示す情報に設定される充電器２０は、移動通信端末１０の通信エリア外（圏外）の場所に設けられている充電器２０とすることが望ましい。また、電源オフすることが望ましい場所、例えば、映画館やコンサート会場においても上記の設定とすることが望ましい。
【００３５】
また、第１の種類情報は、個々の充電器２０を特定する情報（例えば、充電器２０のＩＤ等）であってもよい。その場合、電源オフ部１３は、個々の充電器２０を特定する情報毎に充電時に移動通信端末１０を電源オフするか否かの情報を予め記憶しておき、その情報に基づいて自端末１０を電源オフするか否かを判断することとしてもよい。即ち、電源オフ部１３は、受信した第１の受信情報に対応して、充電時に移動通信端末１０を電源オフするという情報を記憶していた場合には、自端末１０を電源オフする処理を行う。電源オフ部１３は、受信した第１の受信情報に対応して、充電時に移動通信端末１０を電源オフしない情報を記憶していた場合には、自端末１０を電源オフする処理を行わない（特段の処理を行わない）。
【００３６】
電源オン部１４は、電源オフ部１３により電源オフがされた後、所定のタイミングで自端末１０を電源オンする電源オン手段である。なお、電源オン部１４は、必ずしも移動通信端末１０に備えられていなくてもよい任意的な構成要素である。また、電源オン部１４は、電源オフ部１３により電源オフがされると電源オフ部１３からその旨が通知される。また、電源オン部１４は、自端末１０が電源オフされている状態で機能する構成であることから、例えば、電池１０８以外の移動通信端末１０が備える補助電池によって動作させることが望ましい。
【００３７】
電源オン部１４は、電源オフ部１３により電源オフがされた後、充電部１２による充電器２０との接続が切断されたことを検出して、自端末１０を電源オンする。具体的には、電源オン部１４は、充電部１２による充電器２０のコイル２０６の検出状態を監視しておき、充電器２０のコイル２０６が検出されなくなったタイミングで自端末１０を電源オンする。
【００３８】
また、電源オン部１４は、電源オフ部１３により電源オフがされた後、設定された時間後に自端末１０を電源オンすることとしてもよい。設定される時間は、予めユーザ等によって設定され電源オン部１４に記憶されている。具体的には、電源オン部１４は、電源オフ部１３により自端末１０が電源オフされるとタイマによる計時を開始し、タイマが満了したら（設定された時間が経過したら）、電源オンする。
【００３９】
また、電源オン部１４は、タイマの満了時に充電部１２によって充電器２０と接続されていない、即ち、充電部１２により充電器２０のコイル２０６が検出されていないことを確認してから、電源オンすることとしてもよい。即ち、タイマの満了時にコイル２０６が検出されていない場合のみに電源オンする。タイマの満了時にコイル２０６が検出された場合には、電源オン部１４は、再度、タイマによる計時を開始し、タイマが再度満了したら電源オンする。
【００４０】
更に、電源オン部１４は、充電部１２により接続された充電器２０から当該充電器２０の種類を示す第２の種類情報を取得して、当該第２の種類情報に応じて自端末１０を電源オンする構成としてもよい。即ち、電源オン部１４は、充電器２０に応じて選択的に自端末１０を電源オンすることとしてもよい。ここで、第２の種類情報は、例えば、移動通信端末１０を電源オンする充電器２０であることを示す情報と、移動通信端末１０を電源オンしない充電器２０であることを示す情報との２種類の情報である。これらの情報の何れかが第２の種類情報として、充電器２０に設定されており、充電開始時等の所定のタイミングで充電器２０から移動通信端末１０に送信される。移動通信端末１０では、電源オン部１４が、充電部１２を介して第２の種類情報を受信する。
【００４１】
電源オン部１４は、受信した第２の受信情報が移動通信端末１０を電源オンする充電器２０であることを示す情報であった場合、上記のように自端末１０を電源オンする処理を行う。電源オン部１４は、受信した第２の受信情報が移動通信端末１０を電源オンしない充電器２０であることを示す情報であった場合、自端末１０を電源オンする処理を行わない（特段の処理を行わない）。
【００４２】
第２の種類情報が、移動通信端末１０を電源オンする充電器２０であることを示す情報に設定される充電器２０は、充電器２０から取り外した際にユーザがすぐに移動通信端末を利用する場所に設けられている充電器２０とすることが望ましい。また、例えば、映画館やコンサート会場において、本発明の機能により強制的に電源オフされた場所においても上記の設定とすることが望ましい。その一方で、第２の種類情報が、移動通信端末１０を電源オンしない充電器２０であることを示す情報に設定される充電器２０は、充電器２０から取り外した際にユーザがすぐに移動通信端末を利用しない場所に設けられている充電器２０とすることが望ましい。
【００４３】
また、第２の種類情報は、個々の充電器２０を特定する情報（例えば、充電器２０のＩＤ等）であってもよい。その場合、電源オン部１４は、個々の充電器２０を特定する情報毎に移動通信端末１０を電源オンするか否かの情報を予め記憶しておき、その情報に基づいて自端末１０を電源オンするか否かを判断することとしてもよい。即ち、電源オン部１４は、受信した第２の受信情報に対応して、移動通信端末１０を電源オンするという情報を記憶していた場合には、自端末１０を電源オンする処理を行う。電源オン部１４は、受信した第２の受信情報に対応して、移動通信端末１０を電源オンしない情報を記憶していた場合には、自端末１０を電源オンする処理を行わない（特段の処理を行わない）。以上が、移動通信端末１０の本発明に係る機能である。
【００４４】
図１に示すように、充電器２０は、充電器側充電部２１と、送信部２２とを備えて構成される。
【００４５】
充電器側充電部２１は、移動通信端末１０と接続して、当該移動通信端末１０に、当該移動通信端末１０が備える電池を充電するための電力を送信する充電器側の充電手段である。具体的には、充電器側充電部２１は、電源部２０５から供給される電力によってコイル２０６に交流電流を流すことで、当該移動通信端末１０側のコイル１０９に誘導電流を起こさせる。また、充電器側充電部２１は、充電を行う前に適切に充電が行われるように、移動通信端末１０のコイル１０９と充電器２０のコイル２０６との位置あわせを行う。位置合わせは、例えば、コイル２０６を物理的に動かしたり、複数のコイル２０６のうち充電可能なコイル２０６を選択したりすることで行われる。なお、コイルの位置合わせは、従来の充電システムと同様に行われる。また、コイルの位置合わせは、移動通信端末１０側で行われてもよい。
【００４６】
また、充電器側充電部２１は、接続された移動通信端末１０との間で、充電器２０側での認証や電力制御に使用する情報等の送受信を行う。更に、充電器側充電部２１は、移動通信端末１０から受信した情報の復調や、当該情報を用いた移動通信端末１０の認証、コイル２０６に流す電流制御や変調等を行う。これらの機能は、従来の充電器が有する充電に係る機能と同様の機能である。
【００４７】
送信部２２は、本発明に係る機能に利用される情報を、充電器側充電部２１を介して、接続された移動通信端末１０に送信する手段である。具体的には、送信部２２は、接続された移動通信端末１０に、充電器２０自身に係る第１の種類情報を送信する第１の種類情報送信手段である。あるいは、送信部２２は、接続された移動通信端末１０に、充電器２０自身に係る第２の種類情報を送信する第２の種類情報送信手段である。送信される第１の種類情報及び第２の種類情報は、予め充電器２０の管理者等によって設定されて送信部２２に記憶されている。なお、この設定は、充電器２０に設けられる機械的なスイッチで行われてもよいし、ソフトウェアによって行われてもよい。このように種類情報を設定可能にすることで、１台の充電器２０で複数の動作を移動通信端末１０側にさせることができる。以上が、充電器２０の本発明に係る機能である。
【００４８】
引き続いて、図４〜図８のフローチャートを用いて、本実施形態に係る充電システム１で実行される処理を説明する。本説明では、移動通信端末１０の電源オフを行う場合と電源オンを行う場合とに分けて説明する。また、それぞれの場合で充電システム１の機能毎に説明する。まず、図４のフローチャートを用いて、電源オフを行う場合について説明する。本処理では、移動通信端末１０が電源オン状態で開始される。
【００４９】
まず、移動通信端末１０が充電器２０の置き台に置かれる（Ｓ１０）。これは、移動通信端末１０のユーザによって、電池１０８の充電を行うために行われる。移動通信端末１０が充電器２０の置き台に置かれると、充電器２０では充電器側充電部２１によって、移動通信端末１０のコイル１０９の検出が行われる（Ｓ１１）。続いて、移動通信端末１０のコイル１０９と充電器２０のコイル２０６との位置合わせが行われる（Ｓ１２）。
【００５０】
続いて、移動通信端末１０では、充電部１２によって、充電開始のための認証情報が生成されて充電器２０に送信される（Ｓ１３）。充電器２０では、充電器側充電部２１によって、送信された情報が受信されて、受信された情報に基づいて認証が実施される（Ｓ１４）。認証によって移動通信端末１０の充電が可能であると判断されると、充電が開始される（Ｓ１５）。具体的には、充電器２０のコイル２０６に充電用の交流電流が流される。
【００５１】
移動通信端末１０では、充電部１２によって、充電器２０側からの磁界変化から充電用の電流が取り出されて、電池１０８の充電が行われる。電池１０８の充電が開始されると、電源オフ部１３によって充電が検出される（Ｓ１６）。充電が検出されると、電源オフ部１３によって移動通信端末１０が電源オフされる（Ｓ１７）。移動通信端末１０では、電源オフされると移動体通信部１１への電力の供給が禁止されて移動体通信機能が停止しセルサーチも行われない。以上が、電源オフを行う場合の処理である。
【００５２】
図４で説明した処理では、移動通信端末１０において、充電が検出されると一律に電源オフとする態様であった。引き続いて、図５のフローチャートを用いて、充電器２０に設定された第１種類情報に応じて、選択的に電源オフとする態様について説明する。本処理では、移動通信端末１０が電源オン状態で開始される。
【００５３】
まず、Ｓ１０と同様に、移動通信端末１０が充電器２０の置き台に置かれる（Ｓ２０）。移動通信端末１０が充電器２０の置き台に置かれると、Ｓ１１と同様に、充電器２０では充電器側充電部２１によって、移動通信端末１０のコイル１０９の検出が行われる（Ｓ２１）。続いてＳ１２と同様に、移動通信端末１０のコイル１０９と充電器２０のコイル２０６との位置合わせが行われる（Ｓ２２）。
【００５４】
続いてＳ２３と同様に、移動通信端末１０では、充電部１２によって、充電開始のための認証情報が生成されて充電器２０に送信される（Ｓ２３）。充電器２０ではＳ２４と同様に、充電器側充電部２１によって、送信された情報が受信されて、受信された情報に基づいて認証が実施される（Ｓ２４）。
【００５５】
続いて、充電器２０では、送信部２２によって充電器側充電部２１を介して、第１種類情報が移動通信端末１０に送信される（Ｓ２５）。移動通信端末１０では、充電部１２を介して電源オフ部１３によって、充電器２０から送信された第１種類情報が受信され記憶される（Ｓ２６）。また、Ｓ２４における認証によって移動通信端末１０の充電が可能であると判断されると、Ｓ１５と同様に充電が開始される（Ｓ２７）。
【００５６】
移動通信端末１０では、充電部１２によって、充電器２０側からの磁界変化から充電用の電流が取り出されて、電池１０８の充電が行われる。電池１０８の充電が開始されると、電源オフ部１３によって充電が検出される（Ｓ２８）。充電が検出されると続いて、Ｓ２６において受信された第１受信情報が、充電時に移動通信端末１０を電源オフする充電器２０であることを示す情報であるか否かが、電源オフ部１３によって判断される（Ｓ２９）。
【００５７】
第１受信情報が、充電時に移動通信端末１０を電源オフする充電器２０であることを示す情報であると判断されると、電源オフ部１３によって移動通信端末１０が電源オフされる（Ｓ３０）。第１受信情報が、充電時に移動通信端末１０を電源オフする充電器２０であることを示す情報でない（第１受信情報が、充電時に移動通信端末１０を電源オフしない充電器２０であることを示す情報である）と判断されると、電源オフは行われない。選択的に電源オフとする態様の処理である。
【００５８】
引き続いて、図４又は図５に示されるフローによって移動通信端末１０が電源オフとされた後、図６〜図８のフローチャートを用いて移動通信端末１０が電源オンされる処理について説明する。まず、図６を用いて、移動通信端末１０が充電器２０から取り出されることをトリガとして電源オンされる態様について説明する。本処理では、図４又は図５に示されるフローによって移動通信端末１０が充電器２０の置き台に置かれており電源オフとなった状態で開始される。
【００５９】
まず、移動通信端末１０が充電器２０の置き台から取り出される（Ｓ４０）。これは、移動通信端末１０のユーザによって移動通信端末１０を携帯するために行われる。
【００６０】
移動通信端末１０が充電器２０の置き台から取り出されたことによって、移動通信端末１０と充電器２０とが物理的に離れた状態となり、移動通信端末１０の充電部１２と充電器２０との接続が切断される。即ち、充電部１２による充電器２０のコイル２０６の検出状態が、不検出の状態となる。移動通信端末１０では、電源オン部１４によって、充電器２０のコイル２０６の当該不検出が検知される（Ｓ４１）。このように、充電器２０のコイル２０６が検出されなくなると、電源オン部１４によって自端末１０が電源オンされる（Ｓ４２）。以上が、移動通信端末１０が充電器２０から取り出されることをトリガとして電源オンされる態様の処理である。
【００６１】
引き続いて、図７を用いて、本発明の機能によって移動通信端末１０が電源オフとされた後、設定された時間が経過したことをトリガとして電源オンされる態様について説明する。
【００６２】
本処理では、まず、移動通信端末１０が電源オン状態から、図４又は図５に示されるフローによって移動通信端末１０が充電器２０の置き台に置かれて電源オフとなる（Ｓ５０）。この後、図４又は図５に示されるフローと同様に充電器２０と移動通信端末１０との間では、移動通信端末１０の電池１０８の充電が実施される（図示せず）。移動通信端末１０では、電源オフになると電源オン部１４によってタイマによる計時が開始される（Ｓ５１）。設定された時間が経過すると、タイマが満了する（Ｓ５２）。なお、タイマの満了までにユーザの操作等、本発明に係る機能以外で移動通信端末１０の電源がオンされた場合には、電源オン部１４による電源オンの機能は停止される。
【００６３】
タイマが満了すると、電源オン部１４によって、充電部１２と充電器２０との接続が確認される（Ｓ５３）。即ち、充電部１２により充電器２０のコイル２０６が検出されているかいないかが確認される。
【００６４】
ここで、タイマが満了するまでに、移動通信端末１０が充電器２０の置き台から取り出されていなければ、移動通信端末１０は充電器２０の置き台に置かれたままになっている。その場合、従って、充電部１２により充電器２０のコイル２０６が検出されている。コイル２０６が検出されている場合（Ｓ５４のＹＥＳ）は、電源オン部１４によって上記のタイマがリセットされる（Ｓ５５）。続いて、再度、電源オン部１４によってタイマによる計時が開始され、以降の処理が繰り返し行われる（Ｓ５１〜Ｓ５４）。
【００６５】
Ｓ５１からＳ５２のタイマの満了までに、移動通信端末１０が充電器２０の置き台から取り出されていれば、移動通信端末１０と充電器２０とが物理的に離れた状態となる。その場合、Ｓ５３の時点では、移動通信端末１０の充電部１２と充電器２０との接続が切断されており、充電部１２により充電器２０のコイル２０６が検出されない。コイル２０６が検出されない場合（Ｓ５４のＮＯ）は、電源オン部１４によって自端末１０が電源オンされる（Ｓ５６）。
【００６６】
なお、上述の処理では、Ｓ５３においてコイル２０６の検出の確認を行って、当該確認の結果に応じて移動通信端末１０を電源オンにしているが、Ｓ５３においてコイル２０６の検出の確認を行わず、設定された時間が経過した場合に一律に電源オンすることとしてもよい。以上が、設定された時間が経過したことをトリガとして電源オンされる態様の処理である。
【００６７】
引き続いて、図８のフローチャートを用いて、本発明の機能によって移動通信端末１０が電源オフとされた後、充電器２０に設定された第２種類情報に応じて選択的に電源オンとする態様について説明する。
【００６８】
本処理では、まず、移動通信端末１０が電源オン状態から、図４又は図５に示されるフローによって移動通信端末１０が充電器２０の置き台に置かれて電源オフとなる（Ｓ６１）。この電源オフの処理の際に、充電器２０では、送信部２２によって充電器側充電部２１を介して、第２種類情報が移動通信端末１０に送信される。移動通信端末１０では、充電部１２を介して電源オン部１４によって、充電器２０から送信された第２種類情報が受信され記憶される（Ｓ６０）。第２種類情報の送受信のタイミングは、例えば、図５に示す第１種類情報の送受信のタイミングと同様のものにすることができる。
【００６９】
移動通信端末１０が電源オフとなった後、図４又は図５に示されるフローと同様に充電器２０と移動通信端末１０との間では、移動通信端末１０の電池１０８の充電が実施される（図示せず）。その後、図６に示されるフローチャートのＳ４０と同様に移動通信端末１０が充電器２０の置き台から取り出される（Ｓ６２）。
【００７０】
移動通信端末１０が充電器２０の置き台から取り出されたことによって、移動通信端末１０と充電器２０とが物理的に離れた状態となり、移動通信端末１０の充電部１２と充電器２０との接続が切断される。即ち、充電部１２による充電器２０のコイル２０６の検出状態が、不検出の状態となる。移動通信端末１０では、電源オン部１４によって、充電器２０のコイル２０６の当該不検出が検知される（Ｓ６３）。
【００７１】
移動通信端末１０においてコイル２０６が不検出となると、続いて、Ｓ６０において受信された第２受信情報が、移動通信端末１０を電源オンする充電器２０であるであることを示す情報であるか否かが、電源オン部１４によって判断される（Ｓ６４）。
【００７２】
第２受信情報が、移動通信端末１０を電源オンする充電器２０であるであることを示す情報であると判断されると、電源オン部１４によって移動通信端末１０が電源オンされる（Ｓ６５）。第２受信情報が、移動通信端末１０を電源オンする充電器２０であることを示す情報でない（第１受信情報が、移動通信端末１０を電源オンしない充電器２０であることを示す情報である）と判断されると、電源オンは行われない。以上が、充電器２０に設定された第２種類情報に応じて選択的に電源オンとする態様の処理である。
【００７３】
なお、上記の第２種類情報に応じて選択的に電源オンとする処理は、図６に示されるフローチャートのように、移動通信端末１０が充電器２０から取り出されることをトリガとして電源オンされる態様を基にしている。しかしながら、図７に示されるフローチャートのように、設定された時間が経過したことをトリガとして電源オンされる態様を基にしてもよい。
【００７４】
また、上述した処理は、第２受信情報に基づく電源オンを行うか否かの判断については、電源オフを行うタイミングで行っていたが必ずしもこのタイミングで行う必要はない。例えば、第２種類情報を受信したタイミング等の自端末１０が電源オフされる前のタイミングで行うこととしてもよい。
【００７５】
上述したように、本実施形態では、移動通信端末１０が充電器２０から充電しえる状態、あるいは実際に充電が行なわれる状態となった場合に、移動通信端末１０の電源を自動的にオフにすることができる。従って、移動通信端末１０が圏外状態であった場合であってもセルサーチ等で電池１０８が消費されることがない。これにより、本実施形態によれば、移動通信端末１０が充電器２０に接続されていても電池１０８の消費と充電の繰り返しが起きず電池の劣化を防ぐことができる。
【００７６】
また、上述した実施形態で説明したように、充電器２０に設定される第１種類情報に基づいて選択的に移動通信端末１０の電源オフを行うこととしてもよい。この構成によれば、移動通信端末１０が圏外となる場所、あるいは映画館やコンサート会場等の移動通信端末を電源オフとすべき場所等に設けられる充電器２０に移動通信端末１０が接続されたときのみに移動通信端末１０の電源を自動的にオフにすることができる。これにより、ユーザの利便性を向上させることができる。但し、選択的な電源オフは必ずしも行われる必要はなく、どの充電器２０に対しても一律に電源オフが行われてもよい。
【００７７】
また、上述した実施形態で説明したように、自動的に電源オフが行われた後、充電器２０との接続が切断された場合に移動通信端末１０を電源オンすることが望ましい。この構成によれば、電池１０８の消費と充電の繰り返しによる電池の劣化のおそれが無くなった際に移動通信端末１０の電源を自動的にオンできる。これにより、ユーザが手動で電源を入れなくても済み、ユーザの利便性を向上させることができる。例えば、映画館やコンサート会場等を出た後で、手動で移動通信端末１０を電源オンする必要がない。なお、電源オンは必ずしも行われる必要はない。
【００７８】
あるいは、上述した実施形態で説明したように、自動的に電源オフが行われた後、設定した時間後に移動通信端末１０を電源オンすることとしてもよい。この構成によっても、ユーザが手動で電源を入れなくても済み、ユーザの利便性を向上させることができる。
【００７９】
また、上述した実施形態で説明したように、充電器２０に設定される第２種類情報に基づいて選択的に移動通信端末１０の電源オンを行うこととしてもよい。この構成によれば、充電後にユーザが移動通信端末１０を利用しないことが多い充電器２０を用いて充電した場合等には、移動通信端末１０の電源をオフにしたままにすることができる。従って、ユーザが移動通信端末１０を利用しない場合に電源オンされていることによる電池１０８の消費を防止することができる。但し、選択的な電源オンは必ずしも行われる必要はなく、どの充電器２０に対しても一律に電源オンが行われてもよい。
【００８０】
なお、上述した実施形態では、充電器２０が情報処理を行う構成となっているが必ずしも充電器には情報処理を行う構成となっていなくてもよい。即ち、機械的に移動通信端末１０に充電をする構成となっていてもよい。
【００８１】
また、本実施形態では電池１０８の充電を、非接触方式によって行うこととしていたが、必ずしも非接触方式でなくてもよい。例えば、移動通信端末１０と充電器２０とが、ケーブルや接点で接触して接続して充電を行う方式に本発明を適用することとしてもよい。
【符号の説明】
【００８２】
１…充電システム、１０…移動通信端末、１１…移動体通信部、１２…充電部、１３…電源オフ部、１４…電源オン部、１０１…ＣＰＵ、１０２…ＲＡＭ、１０３…ＲＯＭ、１０４…操作部、１０５…無線通信部、１０６…ディスプレイ、１０７…アンテナ、１０８…電池、１０９…コイル、２０…充電器、２１…充電器側充電部、２２…送信部、２０１…ＣＰＵ、２０２…ＲＡＭ、２０３…ＲＯＭ、２０４…操作部、２０５…電源部、２０６…コイル。
【図１】
0005732320.tif 000002
【図２】
0005732320.tif 000003
【図３】
0005732320.tif 000004
【図４】
0005732320.tif 000005
【図５】
0005732320.tif 000006
【図６】
0005732320.tif 000007
【図７】
0005732320.tif 000008
【図８】
0005732320.tif 000009